(57)【要約】【課題】多様なビオトープを確保することのできる新規な魚道を提供する。【解決手段】直径が２０ｃｍ〜３０ｃｍである河床礫をプール式又はストリーム式魚道の床に敷設することにより、ビオトープ型魚道を構成する。【選択図】　　　　図１
2004068510.tif 000002
【特許請求の範囲】
【請求項１】
河床礫をプール式又はストリーム式魚道の床に敷設してなる、ビオトープ型魚道。
【請求項２】
前記河床礫の直径が２０ｃｍ〜３０ｃｍであることを特徴とする、請求項１に記載のビオトープ型魚道。
【請求項３】
前記河床礫を前記魚道の中央部において、前記魚道の外周部よりも高く積層したことを特徴とする、請求項１又は２に記載のビオトープ型魚道。
【請求項４】
前記魚道の勾配が約１１度〜１８度であることを特徴とする、請求項１〜３のいずれか一に記載のビオトープ型魚道。
【請求項５】
１／ｆ型のゆらぎスペクトルを有するように水が流れることを特徴とする、請求項１〜４のいずれか一に記載のビオトープ型魚道。
【発明の詳細な説明】
【０００１】
【発明の属する技術分野】
本発明は、内水面漁業、建設業、及び発電業（水力発電所）などの分野において好適に用いることのできる、ビオトープ型魚道に関する。
【０００２】
【従来の技術】
２１世紀は、環境修復の世紀とも呼ばれることがあるが、渓流においても利水・砂防施設などと渓流生態との調和が必要とされる。かかる観点より、前述した利水・砂防施設などにおいて人工的に魚道を形成し、このような魚道に対して水性生物を生息させて生物生息空間（ビオトープ）を形成する試みがなされている。魚道を人工的に形成する技術としては、従来より粗石埋込工法、捨石工法、及び勾配分割方法などが用いられている。
【０００３】
粗石埋込工法は、数層の濾過砂礫からなるフィルタ層上にほぼ均等な大きさの石を敷き詰めて魚道を形成する。しかしながら、隣接する石の間に隙間が存在しないために、ビオトープを確保することができないという問題がある。また、捨石工法も、均等な大きさの粗石を数層に詰め込んで魚道を形成しているが、魚道の勾配が急であると、流失するという問題がある。さらに、勾配分割工法は、直径０．６ｍ〜１．２ｍの建設工事用及び水利工事用の大きな石材を局所的に配置し、プール構造型の魚道を形成するものの、隣接する石の間に隙間がほとんど存在しないため、ビオトープを確保することができないという問題があった。
【０００４】
さらに、本来の自然石に代えてコンクリートブロック型の人工自然石を用いた場合は、ある程度のビオトープを空間を確保することができるが、多様なビオトープ空間を確保することができないという問題あった。
【０００５】
【発明が解決しようとする課題】
本発明は、上述したような状況に鑑み、多様なビオトープを確保することのできる新規な魚道を提供することを目的とする。
【０００６】
【課題を解決するための手段】
上記目的を達成すべく、本発明は、河床礫をプール式又はストリーム式魚道の床に敷設してなる、ビオトープ型魚道に関する。
【０００７】
本発明は、上記目的を達成すべく鋭意検討を実施したところ、渓流に豊富に存在する河床礫を従来のプール式又はストリーム式魚道の床に敷設することによって、前記河床礫間に渓流魚が避難し生息することができる隙間を確保することができる。さらに、多様な流速と水圧条件とが形成され、渓流環境の多様なビオトープを形成できることを見出した。
【０００８】
なお、本発明の好ましい態様においては、前記河床礫の直径を２０ｃｍ〜３０ｃｍにする。これによって、前記河床礫間の隙間を常に十分確保することができ、多様なビオトープを簡易に形成することができる。
【０００９】
また、本発明の他の好ましい態様においては、前記河床礫を前記魚道の中央部において、前記魚道の外周部よりも高く積層する。これによって、流れの現勢及び波の振動（セイシュ）の発生を抑制し、渓流魚の行動可能性がより増大する。したがって、渓流と類似した多様なビオトープを簡易に形成することができるようになる。
【００１０】
また、本発明の魚道における水流は自然の流れに近づき、気泡などが混入することによって、流水音が従来の単調不快な１／ｆ２型から１／ｆ型へと変化し、高音域に広がりのある大脳生理学的に心地よい音に変化する。さらに、気泡混入と水滴飛沫の増加により健康に良いとされるマイナスイオンの増加にも寄与する。したがって、環境音など心理健康に関する環境が問題となる人家、公園、及び遊歩道周辺への設置にも適するものとなる。
【００１１】
【発明の実施の形態】
以下、本発明を発明の実施の形態に基づいて詳細に説明する。
図１は、本発明のビオトープ型魚道の一例を示す平面図であり、図２は、図１に示すビオトープ型魚道のＩ−Ｉ線に沿って切った場合の断面図である。図１及び図２から明らかなように、本発明のビオトープ型魚道１０は、梁３によって１０段に分断された河床１に河床礫２が敷設されて、プール型の魚道を構成している。河床１の側端部には側壁４が設けられており、河床礫２を河床１内に保持するように構成されている。
【００１２】
河床１の側部には水叩き５が設けられ、その周囲を護岸６で覆うようにして構成している。また、河床１の流水入口１Ａ側の一端部は固定部材７により、河床１の流水出口１Ｂ側に対して角度θで傾斜するように固設している。
【００１３】
河床１の流水入口１Ａ側から本発明のビオトープ型魚道１０に水が流入してくると、前記水は河床礫２の隙間を縫いながら上流側から下流側に向ってながれる。その間に多様な流速及び水圧条件が形成される。さらに、河床礫２間には、やまめなどの渓流魚が避難し、休息できるような隙間が生成される。したがって、多様な水性生物の生息保全が可能となり、渓流などの環境と極めて類似したビオトープを形成することができる。
【００１４】
なお、良好なビオトープを形成するためには、河床１の勾配θを約１１度〜１８度に設定し、河床１の勾配が急となるようにする。また、図１及び図２に示すような構成のビオトープ型魚道１０においては、全長Ｌ１は３ｍ〜８ｍに設定することが好ましく、河床１の、梁３によって区切られた部分の長さＬ２は０．６ｍ〜１ｍにすることが好ましい。
【００１５】
図１及び図２に示すビオトープ型魚道１０においては、魚道における水流は自然の流れに近づき、気泡などが混入することによって、流水音が従来の単調不快な１／ｆ２型から１／ｆ型へと変化し、高音域に広がりのある大脳生理学的に心地よい音に変化する。さらに、気泡混入と水滴飛沫の増加により健康に良いとされるマイナスイオンの増加にも寄与する。したがって、環境音など心理健康に関する環境が問題となる人家、公園、及び遊歩道周辺などに好ましく設置することができる。
【００１６】
以上、具体例を挙げながら発明の実施の形態に基づいて本発明を詳細に説明してきたが、本発明は上記内容に限定されるものではなく、本発明の範疇を逸脱しない限りにおいてあらゆる変形や変更が可能である。例えば、上記においてはプール型の魚道を形成したが、当然にストリーム型の魚道を形成することもできる。
【００１７】
【発明の効果】
以上説明したように、本発明によれば、多様なビオトープを確保することのできる新規な魚道を提供することができる。
【図面の簡単な説明】
【図１】本発明のビオトープ型魚道の一例を示す平面図である。
【図２】図１に示すビオトープ型魚道のＩ−Ｉ線に沿って切った場合の断面図である。
【符号の説明】
１　河床
２　河床礫
３　梁
４　側壁
５　水叩き
６　護岸
７　固定部材
１０　ビオトープ型魚道
【図１】
2004068510.tif 000003
【図２】
2004068510.tif 000004